(57)【要約】  取付要素を基材表面に締結するためのスタッドは、締結方向を規定するシャンクと、シャンクと基材表面との間の接触領域をシールするシール要素と、取付要素から基材表面へ圧縮力を伝達するための力伝達要素と、を有する。【選択図】図３
2020536743.tif 000002
【特許請求の範囲】
【請求項１】
取付要素を基材表面に締結するためのスタッドであって、
締結方向を規定するシャンクと、
該シャンクと前記基材表面との間の接触領域をシールするシール要素と、
前記取付要素から前記基材表面へ圧縮力を伝達するための力伝達要素と、を有するスタッド。
【請求項２】
前記力伝達要素は、前記力伝達要素において前記取付要素を受けるための受け面と、前記基材表面において前記力伝達要素を支持するための支持面とを有する、請求項１記載のスタッド。
【請求項３】
前記締結方向における前記受け面と前記支持面との間の距離は、前記締結方向における前記シール要素の長さと同じか又はそれより大きい、請求項２記載のスタッド。
【請求項４】
前記力伝達要素は、前記基材表面に対して前記シール要素を押圧するための接触圧力面を有する、請求項２記載のスタッド。
【請求項５】
前記締結方向における前記接触圧力面と前記支持面との間の距離は、前記締結方向における前記シール要素の長さよりも短い、請求項４記載のスタッド。
【請求項６】
前記シール要素の長さに対する前記接触圧力面と前記支持面との間の距離の比が、５０％〜９０％である、請求項５記載のスタッド。
【請求項７】
前記締結方向に垂直な前記シール要素の断面は、前記締結方向に沿って減少している、請求項５又は６記載のスタッド。
【請求項８】
前記スタッドは、溶接スタッド、据付スタッド、又はボルトである、請求項１から７までのいずれか１項記載のスタッド。
【請求項９】
前記シール要素は環状に構成されており、
前記シール要素は、内面で前記シャンクを支持し、及び／又は、外面で前記力伝達要素を支持する、請求項１から８までのいずれか１項記載のスタッド。
【請求項１０】
前記力伝達要素は環状に構成されている、請求項１から９までのいずれか１項記載のスタッド。
【請求項１１】
前記シール要素及び／又は前記力伝達要素は円形である、請求項１から１０までのいずれか１項記載のスタッド。
【請求項１２】
前記スタッドは、該スタッドに前記取付要素を緊密に螺合するためのねじ山を有する、請求項１から１１までのいずれか１項記載のスタッド。
【請求項１３】
基材表面と、スタッドと、取付要素と、を有し、前記スタッドは、請求項１から１２までのいずれか１項記載のように構成されている、固定装置。
【請求項１４】
前記力伝達要素は、前記取付要素と前記基材表面との間の所定の位置にクランプされる、請求項１３記載の固定装置。
【発明の詳細な説明】
【技術分野】
【０００１】
本発明は、概して、基材表面にスタッドを固定するための装置、方法、そのようなスタッドに関する。
【背景技術】
【０００２】
多くの装置及び方法が知られており、当該装置及び方法によって、様々なスタッドが様々な用途において基材表面に固定される。例えば、スタッドを基材表面に接触させ、それに電流を流す。スタッドと基材表面との間を電流が流れるとすぐに、スタッドは基材表面から吊上げられ、アークが形成される。放出されるエネルギーにより、スタッド及び基材表面の材料が部分的に液化する。次いで、電流はオフにされ、この材料が冷却され凝固する間、スタッドは液化した材料に浸漬される。次いで、スタッドは、基材表面に、材料接合手段により結合される。
【０００３】
スタッドの材料及び基材表面の材料を十分に短時間で液化するために必要なエネルギーを供給するために、非常に高い強度の電流を発生させ、対応する定格の電気ケーブルを介してその電流をスタッドに供給する装置が知られている。液化した材料の酸化を回避するために、スタッドと基材表面との間の接触点を不活性ガスで囲むことが知られている。
【０００４】
例えば、建設又は造船における用途では、様々なサイズのねじ山付きスタッドが使用され、このスタッドに物品が螺合され、当該物品を基材表面に締結する。固定方法に関する幾つかのパラメータ、例えば、電流の持続時間及び電力は、ユーザによって装置に設定される必要があり、使用されるスタッドに適応させる必要がある。最後に、使用者は、目視検査によって、スタッドと基材表面との間の結合の質を評価する。したがって、結合の品質は、使用者の経験及び能力にも依存する。
【０００５】
シールリングを有するスタッドの場合、十分なシール効果を達成するために、固定後にシールリングが十分に押圧されたことを保証するように注意が払われるべきである。それ以外の場合は、シール体は、過度に変形しないように、過度に圧縮されるべきではない。
【発明の概要】
【０００６】
本発明の目的は、基材表面へのスタッドの固定が改善される装置及び／又は方法を提供することである。特に、固定の領域は、確実にシールされることが意図される。
【０００７】
この目的は、取付要素を基材表面に締結するためのスタッドであって、締結方向を規定するシャンクと、当該シャンクと基材表面との間の接触領域をシールするシール要素と、取付要素から基材表面に圧縮力を伝達するための力伝達要素と、を有するスタッドの場合に達成される。特定の状況下では、力伝達要素は、取付力、及び／又は締結方向に垂直な横方向力、及び／又は締結方向に垂直な軸を中心とする曲げモーメント、及び／又は基材表面に対する取付要素の締結方向に平行な軸を中心とするトルクを伝達し、その結果、シール要素は、特定の力、又は特定のモーメント／トルクを受けない。シール要素は、好ましくは、エラストマー、例えばゴム又はＥＰＤＭのような弾性材料で作られる。力伝達要素は、好ましくは、金属、合金、セラミック等の剛体材料で作られる。
【０００８】
１つの有利な実施形態は、力伝達要素が、当該力伝達要素において取付要素を受けるための受け面と、基材表面において力伝達要素を支持するための支持面とを有することを特徴とする。好ましくは、締結方向における受け面と支持面との間の距離は、締結方向におけるシール要素の長さと同じか又はそれより大きい。
【０００９】
同様に、好ましくは、力伝達要素は、基材表面に対してシール要素を押圧するための接触圧力面を有する。特に好ましくは、締結方向における接触圧力面と支持面との間の距離は、締結方向におけるシール要素の長さよりも短い。シール要素の長さに対する接触圧力面と支持面との間の距離の比が、５０％〜９０％であることが好ましい。
【００１０】
１つの有利な実施形態は、締結方向に垂直なシール要素の断面は、締結方向に沿って減少していることを特徴とする。その結果、シール要素と基材表面との間のシール面積は、シール要素が基材表面に対して押圧される接触圧力の増加と共に増加する。
【００１１】
１つの有利な実施形態は、スタッドは、溶接スタッド、据付スタッド、又はボルトであることを特徴とする。
【００１２】
１つの有利な実施形態は、シール要素は環状に構成されており、シール要素は、内面で前記シャンクを支持し、及び／又は、外面で前記力伝達要素を支持することを特徴とする。
【００１３】
１つの有利な実施形態は、力伝達要素は環状に構成されていることを特徴とする。
【００１４】
１つの有利な実施形態は、シール要素及び／又は力伝達要素は円形であることを特徴とする。
【００１５】
１つの有利な実施形態は、スタッドは、当該スタッドに取付要素を緊密に螺合するためのねじ山を有することを特徴とする。
【００１６】
１つの有利な実施形態は、スタッドは、基材表面と取付要素とを有する固定装置にはめ込まれることを特徴とする。好ましくは、力伝達要素は、取付要素と基材表面との間の所定の位置にクランプされる。
【００１７】
本発明は、図面を参照して、例示的な実施形態を用いて以下の本文においてより詳細に説明される。
【図面の簡単な説明】
【００１８】
【図１】溶接装置を概略的に示す。
【図２】溶接スタッドを縦断面図で示す。
【図３】溶接スタッドを縦断面図で示す。
【図４】溶接スタッドを縦断面図で示す。
【発明を実施するための形態】
【００１９】
図１は、溶接スタッド２０を基材表面３０に溶接するための溶接装置１０を概略的に示す。溶接スタッド２０の材料及び基材表面３０の材料は、導電性、特に金属性である。この溶接装置１０は、押しボタンスイッチの形態のトリガースイッチ４１を有する溶接ガン４０と、溶接ユニット５０と、第１電気ケーブル６１と、接続端子６３を有する第２電気ケーブル６２と、電力ケーブルの形態の電気供給ケーブル６４と、例えば電気通信ライン６５と、ガスボンベ状のガス貯蔵器７０と、管状のガス供給ライン７１と、ガスホース７２とを備えている。
【００２０】
第１ケーブル６１は、溶接ユニット５０を介して溶接スタッド２０に電流を供給する役割を果たす。第２ケーブル６２は、接続端子６３が基材表面３０にクランプされているときに、基材表面３０を溶接ユニット５０に電気的に接続する役割を果たす。溶接スタッド２０が基材表面３０と接触すると回路が閉じ、これにより、例えば直流又は交流の形態の溶接電流を溶接ユニット５０によって溶接スタッド２０に印加することができる。この目的のために、溶接ガン４０は、溶接電流接触要素（図１には示されていない）を備える。溶接ユニット５０は、供給ケーブル６４からの電流を溶接電流に変換するための装置（図示せず）を含み、当該装置は、溶接電流を所望の電圧及び強度で供給するために、例えば電気コンデンサ、サイリスタ、絶縁ゲート電極又はパワーエレクトロニクスが提供する他の構成要素を備えたバイポーラトランジスタ、及びマイクロプロセッサを備えた関連する制御ユニットを含む。
【００２１】
ガス供給ライン７１及びガスホース７２は、溶接スタッド２０と基材表面３０との間の接触領域にガス貯蔵器７０からの不活性ガスを提供する役割を果たし、これにより、溶接作業中、周囲領域の酸素による酸化から当該接触領域を保護する。当該接触領域へのガスの流れを制御するために、ガス貯蔵器７０、ガス供給ライン７１、溶接ユニット５０、ガスホース７２又は溶接ガン４０は、バルブ（図示せず）、特に制御可能なバルブを備える。
【００２２】
溶接ユニット５０は、作動要素５２を有する入力装置５１と、視覚表示要素５４及び無線伝送ユニットを有する出力装置５３とを有する。入力装置５１は、溶接装置１０のユーザによって、例えば、電圧、電流強度、電力、溶接電流の持続時間、スタッドの位置及び速度などの、溶接装置１０によって実施される溶接方法のパラメータを入力する役割を果たす。出力装置５３は、例えば、溶接方法のパラメータに関する情報、溶接方法において検出された排出物又は他の変数に関する情報、溶接作業の品質に関する情報、溶接作業を改善するための手段に関する情報、溶接スタッドにおいて検出された特性に関する情報、又は前述の変数から導出された情報、及び／又は溶接装置１０特に溶接ガン４０を洗浄及び／又はメンテナンスするための推奨又は指示などの情報を使用者に出力する役割を果たす。
【００２３】
通信ライン６５は、溶接ガン４０、特に溶接ガン４０の制御装置（図１には図示せず）と、溶接ユニット５０、特に制御ユニット及び／又は入力装置５１及び／又は出力装置５３との間での通信のために機能する。この通信を介して、例えば、溶接作業のパラメータに関する情報の交換が行われ、これにより、例えば、溶接スタッド２０の移動に伴う溶接電流の同期を達成し、又はこれを容易にする。図示されていない例示的な実施形態では、溶接ガンと溶接ユニットとの間の通信は、無線を用いてワイヤレスに行われるか、又は溶接電流を伝達する第１電気ケーブルを用いて行われる。
【００２４】
溶接ガン４０は、開口部４６を有するハウジング４２と、トリガースイッチ４１を有し且つ当該ハウジング４２から突出するハンドル４３とを有する。溶接ガン４０はまた、溶接作業中に溶接スタッド２０が保持されるスタッドホルダ４４を有する。この目的のために、スタッドホルダは、例えば、２つ、３つ、４つ又はそれ以上の弾性アーム（詳細には示されていない）を備え、これらのアームの間に、溶接スタッド２０が挿入され、締め付け嵌め（clamping fit）によって保持される。溶接ガン４０はまた、溶接スタッド２０に溶接電流を印加するための溶接電流接触要素を有し、当該溶接電流接点要素は、例えば、１つ又はそれ以上の弾性アームの形態でスタッドホルダ４４に一体化される。
【００２５】
また、溶接ガン４０は、当該溶接ガン及び溶接ユニット５０の種々の構成要素及び装置を制御するための制御装置９９を有する。制御装置９９は、溶接作業における１つ又は複数のパラメータを制御するために設けられる。この目的のために、制御装置９９は、様々な電子部品、例えば、１つ又は複数のマイクロプロセッサ、１つ又は複数の一時的又は恒久的なデータメモリなどを備える。
【００２６】
また、溶接ガン４０は、第１リフティングマグネットの形態のスタッド吊上げ装置を有し、当該スタッド吊上げ装置が作動されると、スタッドホルダ４４は、開口部４６から後方に（図１において上方に）離れる力を受ける。信号ライン（図示せず）を介して、制御装置９９はスタッド吊上げ装置と通信し、当該スタッド吊上げ装置を制御、特に起動及び停止させる。
【００２７】
また、溶接ガン４０は、ばね要素又は第２リフティングマグネットの形態のスタッド浸漬装置を有し、当該スタッド浸漬装置が作動されると、スタッドホルダ４４は、開口部４６に向かって前方（図１では下方）に力を受ける。信号ライン（図示せず）を介して、制御装置９９は、スタッド浸漬装置と通信し、当該スタッド浸漬装置を制御、特に起動及び停止させる。スタッド浸漬装置がバネ要素の形態である場合、このバネ要素は、スタッド吊上装置によってスタッドホルダが後方に動かされるときに張力付与されることが好ましく、これにより、スタッド吊上装置が停止するとすぐに、バネ要素がスタッドホルダを前方に動かす。
【００２８】
溶接装置１０を用いた溶接工程では、まず基材表面３０及びスタッド２０が提供される。さらなるステップでは、例えば、次の溶接作業における所望のパラメータに関する情報が、入力装置を介してユーザによって入力される。更なる工程において、溶接スタッド２０と基材表面３０との間の溶接電流が、第１ケーブル６１及び第２ケーブル６２を用いて溶接ユニット５０によって溶接スタッド２０に印加される。さらなるステップでは、溶接電流の流れが溶接スタッド２０と基材表面３０との間に維持されたまま、溶接スタッド２０がスタッド吊上装置によって基材表面から吊上げられ、この場合、溶接スタッド２０と基材表面３０との間にアークが形成される。特に、アークによって発生した熱により、溶接スタッド２０の材料及び／又は基材表面３０の材料は部分的に液化される。さらなるステップでは、溶接スタッド２０は、スタッド浸漬装置によって、溶接スタッド２０の液化した材料又は基材表面３０の液化した材料に浸漬される。次に、溶接スタッド２０の液化した材料又は基材表面３０の液化した材料が凝固し、これにより、溶接スタッド２０が基材表面３０に材料接合手段において結合される。
【００２９】
図２は、締結装置１００を通る縦断面を示すものであり、当該締結装置１００は、取付要素１５０と、基材表面２００と、当該取付要素１５０を基材表面２００に締結するためのスタッド２１０とを有する。スタッド２１０は、締結方向２２０を規定するシャンク２３０と、当該シャンクと基材表面との間の接触領域２５０をシールするためのシール要素２４０と、取付要素１５０から基材表面２００に圧縮力を伝達するための力伝達要素２６０とを有する。円形リングの形態であるシール要素２４０は、内面でシャンク２３０を支持し、且つ、同様に円形リングの形態である力伝達要素２６０を外面で支持する。
【００３０】
スタッド２１０は、例えば、溶接スタッド、据付スタッド、又はボルトとして構成され、当該スタッド２１０にはねじ山２１１が設けられており、この場合、接触領域２５０は、溶接シーム、接合ギャップ、又は他の接合部の形態となる。ナットの形態の保持要素１６０がスタッド２１０に締結され、本例ではねじ山２１１に螺合され、取付要素１５０をスタッド２１０に、従って基材表面２００に固定する。
【００３１】
力伝達要素２６０は、当該力伝達要素２６０において取付要素１５０を受けるための受け面２６１と、力伝達要素２６０を基材表面において支持するための支持面２６２とを有する。締結方向２２０における受け面２６１と支持面２６２との間の距離ａは、締結方向２２０におけるシール要素２４０の長さと同じである。その結果、力伝達要素２６０は、シール要素に全取付力を加えることなく、取付要素から基材表面に取付力を伝達する。次いで、力伝達要素２６０は、取付要素１５０と基材表面２００との間の所定の位置にクランプされる。
【００３２】
力伝達要素２６０は、シール要素２４０に接触圧力のみを伝達し、シール要素２４０を基材表面２００に押し付ける。この目的のために、力伝達要素２６０は接触圧力面２６３を有し、締結方向２２０における当該接触圧力面２６３の支持面２６２からの距離ｂは、シール要素２４０が弛緩されたときの、締結方向２２０におけるシール要素２４０の長さより短い。弛緩されたシール要素の長さに対する距離ｂの比率は、例えば７５％である。次いで、シール要素２４０は、そのシール効果を展開するために、適切に圧縮される。シール効果は、取付力に依存せず、すなわち、保持要素１６０がスタッド２１０に締結される力にも依存しない。
【００３３】
図３は、取付要素（図示せず）を基材表面（図示せず）に締結するためのスタッド３１０を通る縦断面を図示する。スタッド３１０は、締結方向を規定するシャンク３３０と、当該シャンク３３０と基材表面との間の接触領域をシールするためのシール要素３４０と、取付要素から基材表面に圧縮力を伝達するための力伝達要素３６０とを有する。円形リングの形態であるシール要素３４０は、内面でシャンク３３０を支持し、同様に円形リングの形態である力伝達要素３６０を外面で支持する。
【００３４】
力伝達要素３６０は、当該力伝達要素３６０において取付要素を受けるための受け面３６１と、力伝達要素３６０を基材表面において支持するための支持面３６２とを有する。締結方向に向けられたシール要素３４０の端面３４１は斜めに形成されており、これにより、締結方向に垂直なシール要素３４０の断面は締結方向に沿って減少する。その結果、シール要素３４０と基材表面との間のシール面積は、シール要素３４０が基材表面に対して押圧される接触圧力の増加とともに増加する。
【００３５】
図４は、取付要素（図示せず）を基材表面（図示せず）に締結するためのスタッド４１０を通る縦断面を図示する。スタッド４１０は、締結方向を規定するシャンク４３０と、当該シャンク４３０と基材表面との間の接触領域をシールするためのシール要素４４０と、取付要素から基材表面に圧縮力を伝達するための力伝達要素４６０とを有する。円形リングの形態であるシール要素４４０は、内面でシャンク４３０を支持し、同様に円形リングの形態である力伝達要素４６０を外面で支持する。
【００３６】
力伝達要素４６０は、当該力伝達要素４６０において取付要素を受けるための受け面４６１と、力伝達要素４６０を基材表面において支持するための支持面４６２とを有する。締結方向に向けられたシール要素４４０の端面４４１は、２つの包囲凹部４４３２特に溝を有し、これにより、締結方向に垂直なシール要素４４０の断面は、締結方向に沿って減少する。その結果、シール要素４４０と基材表面との間のシール面積は、シール要素４４０が基材表面に対して押圧される接触圧力の増加とともに増加する。
【００３７】
シール要素は、好ましくは、シート材料から切り出されることによって、打ち抜かれることによって、射出成形されることによって、又は同様のプロセスによって製造される。特に、射出成形の場合、特定の形状が有利であり、その形状によって、シール要素の面圧が局所的に増加され、及び／又は接触圧力経路に沿った面圧の進行が設定され、これにより、接触圧力経路が変化する場合であってもシール機能が保証される。
【００３８】
存在し得る基材表面コーティングの損傷を回避するために、図示されていない例示的な実施形態において、シール要素の半径方向外側領域が、力伝達要素と基材表面との間に突出する。図示されていないさらなる例示的な実施形態では、シール要素及び力伝達要素は、同じ材料から一体に製造される。例えば、適切な形状（特に図４に示すような溝）によって、接触圧力経路に沿って最初は弾性であり、その後はるかに大きな剛性となるような挙動が達成される。
【００３９】
本発明は、第１アイテムを第２アイテムに固定するための装置、及びそのような装置に関する製造方法の例に基づいて説明されてきた。記載された実施形態の特徴は、同一の固定装置又は同一の製造方法の範囲内で、所望に応じて互いに組み合わせることもできる。本発明による装置及び本発明による方法は、他の目的にも適していることに留意されたい。
【図１】
2020536743.tif 000003
【図２】
2020536743.tif 000004
【図３】
2020536743.tif 000005
【図４】
2020536743.tif 000006
【国際調査報告】
2020536743.tif 000007
2020536743.tif 000008
2020536743.tif 000009
2020536743.tif 000010